(57)【特許請求の範囲】
【請求項１】
複数の比較対象項目を画面上に表示して比較する情報比較装置において、
複数の比較対象として選択されていない第１の比較対象項目から選択された比較対象項目を第２の比較対象項目として記憶する第１記憶手段と、
前記第１記憶手段に第２の比較対象項目がある場合で、前記第１の比較対象項目中から、比較対象項目として新たに選択された場合、直前の比較対象項目表示のスクロール方向に基づき、当該新たに選択された比較対象項目を第２の比較対象項目に隣接させる側を決定し、該決定した前記第２の比較対象項目に隣接する位置に移動させて表示する表示手段と、
第２の比較対象項目と前記新たに選択された比較対象項目とをあわせた比較対象項目群を前記表示手段の第２の比較対象項目の表示順序と同じ順序で該第２の比較対象項目として認識し、該第２の比較対象項目を前記第１記憶手段に記憶する認識手段と
からなることを特徴とする情報比較装置。
【請求項２】
前記表示手段は更に、画面上で比較対象項目を表示可能な全範囲について、前記第２の比較対象項目によって占有された状態の場合で、かつ、更に前記第１の比較対象項目を検索する場合、検索するスクロール方向が入力されると、該スクロール方向に基づき、第２の比較対象項目に対してスクロール方向の側に存在する第１の比較対象項目を表示させるために前記第２の比較対象項目を該スクロール方向とは逆方向に移動し、該第１の比較対象項目を表示させる
ことを特徴とする請求項１記載の情報比較装置。
【請求項３】
全ての比較対象項目について表示順序が予め定められており、
前記表示手段は更に、前記第２の比較対象項目が表示されている場合に、並べ替え指示が入力されると、前記表示順序に基づき該第２の表示順序を並べ替えて表示する
ことを特徴とする請求項１あるいは請求項２記載の情報比較装置。
【発明の詳細な説明】
【０００１】
【産業上の利用分野】
本発明は、複数の比較対象項目を画面上に表示して比較する情報比較装置に関するものである。
【０００２】
【従来の技術】
従来、比較対象項目と、比較条件項目とをＸ軸とＹ軸の２次元の表に展開して表示し、視覚的に比較を行う際に、Ｘ軸方向に展開する比較対象項目の数が多く一度に全てを画面上に表示できない場合、左方向あるいは右方向にスクロールして比較対象項目を表示させて比較する。例えば図５の（ａ）に示すように、実線の矩形で囲んだ画面上に比較対象項目ａ、ｂ、ｃの３つしか表示できない場合、図５の（ｂ）に示すように、１つの比較対象項目例えばａを固定表示し、その他の比較対象項目ｂ、ｃ、ｄ・・・ｊをＸ軸方向にスクロールして画面上の残りの部分に順次表示させ、固定表示した比較対象項目ａと相互に視覚的に比較するようにしていた。
【０００３】
図５は、従来技術の説明図を示す。ここで、実線の矩形が表示画面を表し、点線が論理的な比較表を表す。この例では、表示画面上に３つの比較対象項目しか表示できない。
【０００４】
図５の（ａ）は、初期の表示画面の様子を示す。この初期状態では、左から詰めて論理的な比較表のうち、比較対象項目の３つ、ａ、ｂ、ｃが表示画面に表示されている。
【０００５】
図５の（ｂ）は、比較対象項目ａを固定表示し、残りの表示画面の部分に、他の比較対象項目をスクロールして表示した様子を示す。この例では、左スクロールキーを３回押下して左スクロールした状態を示す。この状態で、固定表示した比較対象項目ａと、他の比較対象項目ｅ、ｆとを視覚的に表示画面上で比較することが可能となる。他の比較対象項目と比較する場合には、同様に、左スクロールキーあるいは右スクロールキーを押下して比較対項目を表示画面上に表示させる。
【０００６】
【発明が解決しようとする課題】
（１）  上述した従来の表示方法では、図５の（ｂ）に示すように、表示画面上の左側に固定表示とし、他の残りの比較対象項目をスクロールして表示させ、相互に視覚的に比較していたため、連続していない比較対象項目を３つ以上同時に比較しようとする、例えば図５の（ａ）でａ、ｅ、ｈを比較しようとすると、図５の（ｂ）に示すように、ａを固定表示してｅをスクロールして相互に視覚的に比較する。次に、ａの固定表示を解除し、ｅを固定表示し、ｈをスクロールして相互に視覚的に比較する。更に、ａとｈを相互に視覚的に比較したい場合には、ａあるいはｈを固定表示し、ｈあるいはａをスクロールして相互に視覚的に比較する。このため、固定表示の操作、固定表示の解除操作、スクロールなどの操作が煩雑で面倒であるという問題があった。
【０００７】
（２）  また、表示画面上に複数の固定表示ができるシステムでは、上記例では、ａ、ｅを固定表示し、ｈをスクロールして相互に視覚的に比較することができる。しかし、表示画面に表示できる数を越えてしまった場合、図５の（ａ）の例では、３つ以上の比較対象項目を比較したい場合、表示画面上には固定表示を含めても３つしか表示できないため、２つを固定表示し、他の１つをスクロール用に残しておく必要があり、どうしても比較済のものを固定表示解除して２つのみを固定表示する必要があり、固定表示の操作、固定表示の解除操作、スクロール操作などが極めて煩雑となってしまうという問題があった。
【０００８】
（３）  また、１つを固定表示して同時に２つの比較対象項目を相互に視覚的に比較しているときに、一時的に他の比較対象項目と比較しようとする、例えば図５の（ａ）でｃとｅとを相互に視覚的に比較しているときに、ａやｊと比較しようとすると、ｃを固定表示してｅをスクロールして相互に視覚的に比較した後、ｃの固定表示を解除し、左スクロールしてａを表示して固定表示し、右スクロールしてｊとを相互に視覚的に比較するという面倒な操作が必要となってしまうという問題があった。
【０００９】
本発明は、これらの問題を解決するため、選択した選択比較対象項目および非選択の非選択対象項目を分けて記憶し選択対象項目を非選択対象項目で挟む態様で結合し、表示画面上に選択比較項目および非選択対象項目のスクロールを所定の手順で行い、選択対象目および非選択対象項目の比較を簡単な操作で視覚的に容易にできるようにすることを目的としている。
【００１０】
【課題を解決するための手段】
図１を参照して課題を解決するための手段を説明する。
図１において、情報比較装置１は、複数の比較対象項目を画面上に表示して比較するものであって、２ないし６から構成されるものである。
【００１１】
対象項目選択手段２は、非選択項目記憶部９から取り出して画面上に表示された比較対象項目が選択されたときに、選択された比較対象項目を非選択項目記憶部９から削除および選択項目記憶部８に格納するものである。
【００１２】
対象項目選択解除手段３は、選択項目記憶部８から取り出して画面上に表示された比較対象項目が選択されたときに、選択された比較対象項目あるいは選択された比較対象項目以外を選択項目記憶部８から削除および非選択項目記憶部９に格納するものである。
【００１３】
スクロール手段４は、画面上に表示された比較対象項目をスクロールするものである。
並び替え手段５は、選択項目記憶部８および非選択項目記憶部９に格納されている比較対象項目を並び変えて画面上に表示するものである。
【００１４】
選択項目記憶部８は、選択された比較対象項目を格納するものである。
非選択項目記憶部９は、選択されない比較対象項目を格納するものである。
表示装置１１は、画面を表示するものである。
【００１５】
【作用】
本発明は、図１に示すように、選択項目記憶部８に格納された比較対象項目を表示装置１１の画面上に表示および画面上の残りの部分（非固定表示部分）があるときは当該残りの部分に非選択項目記憶部９に格納された比較対象項目を表示した状態で、スクロール指示に対応して、スクロール手段４が画面上の残りの部分がある場合に当該画面上の残りの部分に非選択項目記憶部９に格納された比較対象項目をスクロールして表示し、一方、画面上に残りの部分がない場合に選択項目記憶部８に格納された比較対象項目をスクロールして画面上に所定数の残りの部分（非固定表示部分）を発生させた後、当該発生させた残りの部分に非選択項目記憶部９に格納された比較対象項目をスクロールして表示させるようにしている。
【００１６】
この際、対象項目選択手段２が非選択項目記憶部９から取り出して画面上の残りの部分に表示された比較対象項目が選択されたときに、当該選択された比較対象項目を非選択項目記憶部９から削除および選択項目記憶部８に格納するようにしている。
【００１７】
また、対象項目選択解除手段３が選択項目記憶部８から取り出して画面上に表示された比較対象項目が選択されたときに、当該選択された比較対象項目あるいは選択された比較対象項目以外を選択項目記憶部８から削除および非選択項目記憶部９に格納するようにしている。
【００１８】
また、並び替え手段５が並べ替えが指示されたことに対応して、選択項目記憶部８あるいは／および非選択項目記憶部９に格納されている比較対象項目を並び変えて画面上に表示するようにしている。
【００１９】
従って、選択した選択比較対象項目および非選択の非選択対象項目を分けて記憶し選択対象項目を非選択対象項目で挟む態様で結合し、表示画面上に選択比較項目および非選択対象項目のスクロールを所定の手順で行ったりすることにより、選択対象目および非選択対象項目の比較を簡単な操作で視覚的に容易にできるようになった。
【００２０】
【実施例】
次に、図１から図４を用いて本発明の実施例の構成および動作を順次詳細に説明する。
【００２１】
図１は、本発明の１実施例構成図を示す。
図１において、出力手段６は、表示装置１１および印字装置１２に表示／印字させるものである。
【００２２】
論理的全体表７は、複数の比較対象項目を並べたものである（図３の（ａ）参照）。
選択項目記憶部８は、選択された比較対象項目を格納するものであって、後述する図３の（ｂ）に示すように、比較対象の選択された列名（比較対象項目）に対応づけて表示位置を設定するものである。
【００２３】
非選択項目記憶部９は、選択されない比較対象項目および選択されて解除された比較対象項目を格納するものであって、後述する図３の（ｃ）に示すように、列名（比較対象項目）に対応づけて表示位置を設定するものである。
【００２４】
論理的な表示順番表１０は、論理的な表示順番を設定した表であって、後述する図３の（ｄ）に示すように、選択項目記憶部８および非選択項目記憶部９に格納された全ての列名（比較対象項目）に対応づけて論理的な表示順番を設定するものである。
【００２５】
入力装置１２は、キーボードやマウスなどの各種入力装置である。
印字装置１３は、各種印字を行うものである。
次に、図２のフローチャートに示す順序に従い、図１の構成の動作を詳細に説明する。
【００２６】
図２において、Ｓ２１は、論理的な表示順番表を作成する。これは、後述する図３の（ｄ）に示す論理的な表示順番表を作成する。この論理的な表示順番表１０は、選択されて固定表示とする比較対象項目を格納した選択項目記憶部８から取り出した比較対象項目を、選択されていない非固定表示とする比較対象項目を格納した非選択項目記憶部９から取り出した比較対象項目で挟んだ態様で並べたものである。
【００２７】
Ｓ２２は、論理的な表示順番表に基づき物理的に表示する。これは、Ｓ２１で作成した後述する図３の（ｄ）の論理的な表示順番表１０中の、例えば図示の画面に表示と記載した範囲の比較対象項目を取り出して画面上に表示する。
【００２８】
Ｓ２３は、比較対象項目がクリックされたか判別する。ＹＥＳの場合には、Ｓ２４からＳ２６の処理を行い、Ｓ２７に進む。一方、ＮＯの場合には、Ｓ２７に進む。
【００２９】
Ｓ２４は、Ｓ２３でＹＥＳと判別されたので、前は左スクロールか判別する。これは、直前が左スクロールされたか判別する。ＹＥＳの場合には、直前に左スクロールされたと判明したので、Ｓ２５で選択項目記憶部８の左端にクリック項目を追加、即ちクリックした比較対象項目を、非選択項目記憶部９から削除し、選択項目記憶部８の左端に追加する態様で格納し、Ｓ２７に進む。一方、ＮＯの場合には、直前に右スクロールされたと判明したので、Ｓ２６で選択項目記憶部８の右端にクリック項目を追加、即ちクリックした比較対象項目を、非選択項目記憶部９から削除し、選択項目記憶部８の右端に追加する態様で格納し、Ｓ２７に進む。
【００３０】
以上のＳ２３からＳ２６の比較対象項目のクリックによって、画面上に表示された非固定表示の比較対象項目がクリックして選択されたことに対応して、この選択された比較対象項目を非選択項目記憶部９から削除、および直前のスクロールが左スクロールであったときはこの比較対象項目を選択項目記憶部８の左端に追加する態様で格納して固定表示とし、一方、直前のスクロールが右スクロールであったときはこの比較対象項目を選択項目記憶部８の右端に追加する態様で格納して固定表示とする。これらにより、画面上に表示されている非固定表示の比較対象項目を選択するのみで、固定表示の比較対象項目に容易に設定することが可能となる。
【００３１】
Ｓ２７は、右スクロールがクリックされたか判別する。ＹＥＳの場合には、Ｓ２８からＳ３０の処理を行い、Ｓ３１に進む。一方、ＮＯの場合には、Ｓ３１に進む。
【００３２】
Ｓ２８は、Ｓ２７でＹＥＳと判別されたので、固定表示が画面上ｎ個か判別する。これは、画面上の固定表示がｎ個で一杯で、非固定表示ができない状態か判別する。ＹＥＳの場合には、画面上に固定表示がｎ個で一杯であると判明したので、Ｓ２９で選択項目記憶部８の表示位置を全て−１し、固定表示の選択された比較対象項目を左方向に移動させて非固定表示の比較対象項目を１つ表示させ、Ｓ３１に進む。一方、ＮＯの場合には、画面上に固定表示がｎ個でなく余裕があると判明したので、Ｓ３０で非選択項目記憶部９の表示位置を全て−１し、非固定表示の比較対象項目を左方向に移動させて右スクロールし、Ｓ３１に進む。
【００３３】
以上のＳ２７からＳ３０の右スクロールのクリックによって、画面上に一杯に固定表示の比較対象項目が表示されている場合は固定表示の比較対象項目を左に１つスクロールし、その空いた部分に非固定表示の比較対象項目を表示し、一方、画面上に一杯に固定表示の比較対象項目が表示されていない場合は非固定表示の比較対象項目を右に１つスクロールする。これにより、右スクロールによって、非固定表示の比較対象項目を画面上に表示させることが可能となる。
【００３４】
Ｓ３１は、左スクロールがクリックされたか判別する。ＹＥＳの場合には、Ｓ３２からＳ３４の処理を行い、Ｓ３５に進む。一方、ＮＯの場合には、Ｓ３５に進む。
【００３５】
Ｓ３２は、Ｓ３１でＹＥＳと判別されたので、固定表示が画面上ｎ個か判別する。これは、画面上の固定表示がｎ個で一杯で、非固定表示ができない状態か判別する。ＹＥＳの場合には、画面上に固定表示がｎ個で一杯であると判明したので、Ｓ３３で選択項目記憶部８の表示位置を全て＋１し、固定表示の選択された比較対象項目を右方向に移動させて非固定表示の比較対象項目を１つ表示させ、Ｓ３５に進む。一方、ＮＯの場合には、画面上に固定表示がｎ個でなく余裕があると判明したので、Ｓ３４で非選択項目記憶部９の表示位置を全て＋１し、非固定表示の比較対象項目を右方向に移動させて左スクロールし、Ｓ３５に進む。
【００３６】
以上のＳ３１からＳ３４の左スクロールのクリックによって、画面上に一杯に固定表示の比較対象項目が表示されている場合は固定表示の比較対象項目を右に１つスクロールしてその空いた部分に非固定表示の比較対象項目を表示し、一方、画面上に一杯に固定表示の比較対象項目が表示されていない場合は非固定表示の比較対象項目を右に１つスクロールする。これにより、左スクロールによって、非固定表示の比較対象項目を画面上に表示させることが可能となる。
【００３７】
Ｓ３５は、並べ替えのアイコンがクリックされたか判別する。ＹＥＳの場合には、Ｓ３６、Ｓ３７の処理を行い、Ｓ３８に進む。一方、ＮＯの場合には、Ｓ３８に進む。
【００３８】
Ｓ３６は、選択項目記憶部８の表示位置の最小値を０にして右に昇順に表示位置に付番する。これは、例えば図３の（ｂ）選択項目記憶部８の表示位置最小値を０（ここではａを０）にして右に昇順に表示位置を付番する。
【００３９】
Ｓ３７は、非選択記憶部９の表示位置の最小値を０にして右に昇順に表示位置に付番する。
以上のＳ３５からＳ３７の並べ替えアイコンのクリックによって、画面上の固定表示、および非固定表示の部分に昇順に並び変えられた比較対象項目が表示されることとなる。
【００４０】
Ｓ３８は、既に選択された項目がクリックされたか判別する。ＹＥＳの場合には、Ｓ３９でクリックされた項目を、選択項目記憶部８から非選択項目記憶部９に戻し、Ｓ４０に進む。一方、ＮＯの場合には、Ｓ４０に進む。
【００４１】
以上のＳ３８、Ｓ３９の選択された項目のクリックによって、画面上の固定表示の比較対象項目を非固定表示の比較対象項目に戻すことが可能となる。
Ｓ４０は、既に選択された項目がダブルクリックされたか判別する。ＹＥＳの場合には、Ｓ４１でダブルクリックされた以外の項目を、選択項目記憶部８から非選択項目記憶部９に戻し、Ｓ４２に進む。一方、ＮＯの場合には、Ｓ４２に進む。
【００４２】
以上のＳ４０、Ｓ４１の選択された項目のダブルクリックによって、画面上の固定表示の選択された比較対象項目以外の比較対象項目を非固定表示の比較対象項目に戻すこととなる。
【００４３】
Ｓ４２は、終了アイコンがクリックされたか判別する。ＹＥＳの場合には、終了する。ＮＯの場合には、Ｓ２３に戻り、繰り返す。
図３は、本発明の表例を示す。
【００４４】
図３の（ａ）は、論理的な全体表の例を示す。この論理的な全体表７は、比較対象項目を順番に並べたものであり、ここでは、図示の項目を並べたものである。
【００４５】
図３の（ｂ）は、選択項目記憶部の例を示す。ここでは、画面上の固定表示の部分に表示して選択された項目を、列名とした格納したものである。この選択項目記憶部８には、列名（比較対象項目）に対応づけて表示位置を設定する。ここで、表示位置０が画面の左端に表示し、表示位置＋１、＋２・・・になるにしたがい右方向に表示し、表示位置−１、−２・・・は画面の左端の外側に左方向に論理的に並べたものである。スクロールすると、表示位置を＋１（左スクロールのとき）あるいは−１（右スクロールのとき）する。
【００４６】
図３の（ｃ）は、非選択項目記憶部の例を示す。ここでは、画面上の非固定表示の部分に表示して選択されていない項目を、列名として格納したものである。この非選択項目記憶部９には、列名（比較対象項目）に対応づけて表示位置を設定する。ここで、表示位置０から＋１、＋２・・・になるにしたがい右方向に表示し、表示位置−１、−２・・・は左方向に論理的に並べたものである。スクロールすると、表示位置を＋１（左スクロールのとき）あるいは−１（右スクロールのとき）する。
【００４７】
図３の（ｄ）は、論理的な表示順番表の例を示す。この論理的な表示順番表１０は、図３の（ｂ）の選択項目記憶部８に格納されている選択された固定表示の比較対象項目を中心に、図３の（ｃ）の非選択項目記憶部９に格納されている選択されていない非固定表示の比較対象項目を両側に並べたものである。図中の画面に表示の８個が、画面上に表示される範囲の例を示す。
【００４８】
図４は、本発明のスクロール説明図を示す。
図４の（ａ）は、論理的な比較表の例を示す。ここでは、図示のように、比較対象項目が、ａ、ｂ・・・・ｎの順番に並んでいる。
【００４９】
図４の（ｂ）は、オペレータ操作と結果の物理的な比較表の表示の例を示す。ここで、★は選択された比較対象項目を表し、画面左下と右下の英小文字は画面に表示されなていない論理的な順番を示す。
【００５０】
図４の（ｂ）において、Ｓ１は、初期表示を示す。この初期表示では、図４の（ａ）の論理的な比較表の左から３つ（ａ、ｂ、ｃ）が非固定表示として画面上に表示されている。
【００５１】
Ｓ２は、右スクロールを２回した様子を示す。これは、Ｓ１の初期状態で、右スクロールキーを２回押下し、左方向に比較対象項目を２つ移動させたものである。画面の左下の“ａｂ”は画面の左端から外側への論理的な項目の順番を示す。
【００５２】
Ｓ３は、ｄを選択クリックした様子を示す。★は選択された固定表示となった状態を示す。この状態では、ｄは非選択項目記憶部９から選択項目記憶部８に移動され、固定表示となる。
【００５３】
Ｓ４は、右スクロールを２回した様子を示す。この状態では、固定表示の“ｄ”はそのままで、非固定表示が２回、右スクロールされ、画面の左端から外側に論理的に“ａｂｃｅ”と並ぶ。
【００５４】
Ｓ５は、ｇを選択クリックした様子を示す。この状態では、ｇは非選択項目記憶部９から選択項目記憶部８に移動され、ｄｇが固定表示となる。
Ｓ６は、右スクロールを２回した様子を示す。この状態では、固定表示の“ｄｇ”はそのままで、非固定表示が２回、右スクロールされ、画面の左端から外側に論理的に“ａｂｃｅｆｈ”と並ぶ。
【００５５】
Ｓ７は、ｉを選択クリックした様子を示す。この状態では、ｉは非選択項目記憶部９から選択項目記憶部８に移動され、ｄｇｉが固定表示となる。
Ｓ８は、右スクロールを１回した様子を示す。この状態では、固定表示の“ｄｇｉ”が画面上の表示領域を一杯にしているので、左に１つスクロールして固定表示“ｇｉ”とし、空けた残りの部分に非固定表示“ｊ”を表示する。
【００５６】
Ｓ９は、左スクロールを１回した様子を示す。この状態では、固定表示が左スクロールされた“ｄｇｉ”となる。
Ｓ１０は、左スクロールを１回した様子を示す。この状態では、固定表示の“ｄｇｉ”が画面上の表示領域を一杯にしているので、右に１つスクロールして固定表示“ｄｇ”とし、空けた残りの部分に非固定表示“ｈ”を表示する。
【００５７】
Ｓ１１は、左スクロールを１回した様子を示す。この状態では、固定表示の“ｄｇ”をそのままにし、非固定表示の部分に左スクロールし“ｆ”を表示する。
Ｓ１２は、ｆを選択クリックした様子を示す。この状態では、ｆが選択されたので、固定表示★とし、ｆを非選択項目記憶部９から選択項目記憶部８に移す。
【００５８】
Ｓ１３は、右スクロールを１回した様子を示す。この状態では、Ｓ１２で固定表示“ｆｄｇ”が右スクロールされ、“ｄｇｉ”となる。
Ｓ１４は、右スクロールを１回した様子を示す。この状態では、Ｓ１３で固定表示“ｆｄｇ”が画面上の表示領域を一杯にしているので、固定表示を右スクロールして“ｇｉ”とし、空の領域に非固定表示の“ｈ”を表示する。
【００５９】
Ｓ１５は、右スクロールを１回した様子を示す。この状態では、非固定表示の“ｈ”を右スクロールした“ｊ”を表示する。
Ｓ１６は、並べ替えクリックした様子を示す。この状態では、固定表示の比較対象項目“ｆｄｇｉ”について、左端から画面上に“ｆｄｇ”として表示する。尚、並び替えクリックのときに、固定表示の比較対象項目を昇順に並び替えて“ｄｆｇｉ”とし、左端から画面上に“ｄｆｇ”と表示するようにしてもよい。
【００６０】
Ｓ１７は、右スクロールを１回した様子を示す。この状態では、固定表示を右クロールし、“ｄｇｉ”を表示する。
Ｓ１８は、右スクロールを１回した様子を示す。この状態では、固定表示を右スクロールし、“ｇｉ”とし、空いた部分に非固定表示“ａ”を表示する（この際、Ｓ１６で並び替えクリックがされているため、非固定表示の比較対象項目を“ａｂｃｅｊｋ・・・”というように並び変えたので、これから先頭の“ａ”を取り出して表示する）。
【００６１】
Ｓ１９は、右スクロールを１回した様子を示す。この状態では、非固定表示に右スクロールした“ｂ”を表示する。
【００６２】
【発明の効果】
以上説明したように、本発明によれば、選択した選択比較対象項目および非選択の非選択対象項目を分けて記憶し選択対象項目を非選択対象項目で挟む態様で結合し、表示画面上に選択比較項目および非選択対象項目のスクロールを所定の手順で行ったりする構成を採用しているため、選択対象項目および非選択対象項目の比較を簡単な操作で視覚的に容易に行うことができるようになった。これにより、従来技術で説明した（１）から（３）の問題点を解決できた。
【図面の簡単な説明】
【図１】本発明の１実施例構成図である。
【図２】本発明の動作説明フローチャートである。
【図３】本発明の表例である。
【図４】本発明のスクロール説明図である。
【図５】従来技術の説明図である。
【符号の説明】
１：情報比較装置
２：対象項目選択手段
３：対象項目選択解除手段
４：スクロール手段
５：並び替え手段
６：出力手段
７：論理的全体表
８：選択項目記憶部
９：非選択項目記憶部
１０：論理的な表示順番表
１１：表示装置
１２：入力装置
１３：印字装置
【図１】
0003884759.tif 000002
【図２】
0003884759.tif 000003
【図３】
0003884759.tif 000004
【図４】
0003884759.tif 000005
【図５】
0003884759.tif 000006